(57)【特許請求の範囲】
【請求項１】
給水給湯システムの分岐部のヘッダに給水給湯のための接続パイプを接続する継手であって、
内部に貫通孔を有しており、一端が平らな端面部を有する本体部と、該本体部の前記平らな端面部の反対側の端部に接続されるナットと、該ナットにより前記本体部の貫通孔内に配置固定されており、前記接続パイプの前記貫通孔内への前記ナット側からの挿入を可能としつつ、挿入された前記接続パイプの逆方向への移動を阻止する歯部を有する抜け止め部材とを有しており、前記接続パイプを前記本体部の貫通孔に前記ナット側端部から不可逆的に挿入して固定する継手用アダプタと、
内部に貫通孔を有しており、給水給湯システムの前記ヘッダに止水可能に挿入される頭部と、前記継手用アダプタに挿入固定された前記接続パイプに止水可能に挿入される脚部とを備え、前記頭部の外形が前記接続パイプの外形よりも大きく、前記脚部の外形が前記接続パイプの内径と概ね同一で、前記頭部と前記脚部が一体的に形成されたインコアと、
を備え、
前記継手用アダプタの本体部の前記貫通孔に、前記ナット側の端部から前記平らな端面部まで前記接続パイプを挿入し、該平らな端面部の平らな面と前記接続パイプの先端面が概ね同一面となる位置で該接続パイプを固定し、該継手用アダプタに位置決めされて固定されている前記接続パイプの先端部から前記インコアの前記脚部を、前記インコアの頭部の前記脚部側の端面が、前記継手用アダプタの本体部の前記平らな面と密着するまで挿入し、さらに前記インコアの頭部を前記給水給湯システムの前記ヘッダに挿入することにより、前記接続パイプを前記分岐部の前記ヘッダに接続するよう構成したことを特徴とする継手。
【請求項２】
前記ナットが接続される前記本体部の接続部は、外表面に形成されたネジ山を備えており、前記ナットは内表面に前記ネジ山に対応するネジ溝を備えており、前記ナットは前記本体部に対して前記ネジ山と前記ネジ溝が噛み合わされて接続され、
前記本体部の前記貫通孔の前記ナットを接続する側には、前記抜け止め部材を収容する円錐台形状の抜け止め部材収容部を有しており、該抜け止め部材収容部は本体部とナットの境界部に向かって内径が拡大し、前記本体部と前記ナットの概ね境界部に前記抜け止め部材が配置されることを特徴とする、請求項１に記載の継手。
【請求項３】
前記インコアは、前記頭部に少なくとも１つのＯリングを有しており、該Ｏリングにより前記頭部が前記ヘッダに挿入されたときに漏水を防止する止水機能を備え、前記脚部に少なくとも１つの別のＯリングを有しており、該Ｏリングにより前記脚部が前記接続アダプタに接続された前記接続パイプに挿入されたときに漏水を防止する止水機能を備えている、請求項１または２に記載の継手。
【請求項４】
前記継手用アダプタは、前記ナットにより前記抜け止部材を押圧固定する固定リングを備えていることを特徴とする請求項１乃至３のいずれか１項に記載の継手。
【請求項５】
頭部と脚部を備えており前記脚部から前記頭部へ連通する貫通孔を有するインコアの前記脚部を、継手用アダプタ内に挿入固定された接続パイプ内に挿入し、前記インコアの前記頭部を給水給湯システムの分岐部のヘッダに挿入することにより、前記給水給湯システムの分岐部に前記接続パイプを接続する接続パイプの接続固定方法であって、
前記継手用アダプタは、一端に平らな端面部を有しており該平らな端面部から他端側に連通する貫通孔を有する本体部と、前記本体部の前記他端側に接続されるナットと、前記本体部の貫通孔内に配置されて前記ナットにより押圧固定され、前記接続パイプの前記ナット側から前記貫通孔内への挿入は可能であるが逆方向への進行は阻止する歯部を有する抜け止め部材とを備えており、該継手用アダプタの前記貫通孔に、前記ナット側の端部から前記平らな端面部まで前記接続パイプを不可逆的に挿入し、該平らな端面部と前記接続パイプの先端面が概ね同一面となる位置で該接続パイプを固定し、
その後、前記継ぎ手用アダプタに挿入されて前記平らな端面部に位置決め固定された前記接続パイプの先端部から、前記インコアの脚部をインコアの頭部の該脚部側の端面と継手用アダプタの前記平らな端面部とが密着するまで止水可能に挿入し、
さらに、前記インコアの頭部を前記給水給湯システムの前記ヘッダに挿入することを特徴とする給水給湯システムへの接続パイプの接続固定方法。 
【請求項６】
前記継手用アダプタの前記ナット側の端部から、前記接続パイプを、その先端面が前記本体側の前記端面部と概ね同一面になるように、不可逆的に挿入して固定する際に、前記接続パイプが前記本体側の前記端面部と同一面となるよりも挿入しすぎた場合には、前記接続パイプを前記ナット側の端部近傍において切断した後、前記切断した接続パイプをさらに推し進めて、前記本体側の平らな端面部から取り出すと共に、後続する接続パイプの接続した先端面を前記本体側の前記端面部と同一面となるように配置固定することを特徴とする請求項５に記載の給水給湯システムの分岐部への接続パイプの接続固定方法。
【発明の詳細な説明】
【技術分野】
【０００１】
この発明は、給水給湯システムにおける分岐部に設けられるヘッダに取り付けされる継手、および給水給湯システムへの接続パイプの接続固定方法に関する。
【背景技術】
【０００２】
給水給湯システムにおいては、分岐部に給水用・給湯用のヘッダーが設けられ、ヘッダーから一括分岐される。ヘッダーには、継手が取り付けられて、樹脂製のパイプがヘッダーと接続される。継手には一体型、分離型があり、一体型を使用すると、継手にパイプを挿入した場合に、パイプが正常に挿入されたか否かの確認は、目視と音によって行われる。従って、継手にパイプが正常に挿入されたことを確認するのが困難である。更に、一体型によると、パイプの挿入が正常でない場合に、改めて正常に挿入しようとすると、挿入されたパイプは抜け止めリング、圧縮リング等によって固定されており、この固定を解除する機構が無い。
【０００３】
従来使用されている分離型の継手１つの例を説明する。図７は、従来の継手を説明する一部切り欠き部を備えた側面図である。
【０００４】
継手１００は、先端部１０３が（図示しない）ヘッダーに接続されるアダプタ１０１と、一方の端部から中央部の表面部１０７を覆うように樹脂製パイプ１１０が接続され、他方の端部（即ち、先端部）１０９がアダプタ１０１内に挿入されるインコア１０２からなっている。アタプタ１０１のインコア１０２の先端部１０９が挿入される部分の内部に、挿入されたインコア１０２を固定するグリップリング１０４が設けられている。
【０００５】
インコア１０２の表面部１０７は、上述したように樹脂製パイプ内に挿入される。その際、パイプの先端面が突起部１０８の垂直面によって停止するまでインコア１０２の一方の端部がパイプ内に挿入される。このように一方の端部から中央部にかけて表面部を覆うように樹脂パイプの内側に挿入された状態で、インコア１０２がアダプタ１０１の内側に挿入され、グリップリングによって樹脂製パイプがアダプタ内に固定される。
【０００６】
アダプタ１０１の先端部１０３は、ヘッダーの形状に対応した形状からなっており、アダプタの先端部が対応するヘッダーの中に挿入されて、例えばファスナによってその状態で固定される。樹脂製パイプ内に一部が挿入されたインコアをアダプタに挿入した際に、挿入が十分でない場合には、特殊な治具を用いてグリップリングを拡げることによって、インコアを固定する固定機能が解除され、改めて樹脂製パイプのインコアへの装着およびインコアのアダプタ内への挿入が行われる。
【０００７】
従来の継手の場合には、上手く装着できなかった場合の解除機構は備えているが、パイプ１１０およびインコア１０２のアダプタ１０１への装着状況の確認は目で視認される。図８に継手の状態を示す。図８（ｂ）に示す状態が正常な状態である。即ち、樹脂製パイプ１１０を通してＯリング１０６が１本確認できる状態である。これに対して、図８（ａ）に示す状態は、樹脂製パイプ１１０を通してＯリング１０５、１０６が２本確認できる状態であり、挿入不足であることを示す。図８（ｃ）に示す状態は、樹脂製パイプ１１０を通してＯリングが確認できない状態であり、インコア１０２の大部分を樹脂製パイプ１１０が覆った状態で、インコアの機能が発揮できていないことを示す。
【特許文献１】特開２００４−１８３７６１号公報
【発明の開示】
【発明が解決しようとする課題】
【０００８】
上述したように、一体型では、継手にパイプを挿入した場合に、パイプが正常に挿入されたか否かの確認は、目視と音によって行われる。従って、継手にパイプが正常に挿入されたことを確認するのが困難である。更に、一体型によると、パイプの挿入が正常でない場合に、改めて正常に挿入しようとすると、挿入されたパイプは抜け止めリング、圧縮リング等によって固定されており、この固定を解除する機構が無い。
【０００９】
分離型では、暗いところで作業をする場合に視認が難しく、熟練者によって確認する必要があり、簡単に確実に挿入状況を確認することが難しい。
【００１０】
従って、この発明の目的は、従来の問題点を解決して、ワンタッチで樹脂製パイプを挿入し、挿入確認が目視で容易に且つ確実に行え、装着状態が良くない場合にも容易に解除機能を備えている継手および継手へのパイプの挿入固定方法を提供することにある。
【課題を解決するための手段】
【００１１】
本発明者は、上述した従来の問題点を解決すべく鋭意研究を重ねた。その結果、以下のことが判明した。即ち、逆方向への進行を妨げる抜け止め部材を備えた継手用アダプタの一方の端部から、他方の端部まで樹脂製パイプを挿入し、他方の端部の平らな面と、パイプの先端面が概ね同一面にある状態でパイプが固定されるようにすると、パイプが所望の位置まで挿入された状態が確実に目で確認することができる。次いで、このように継手用アダプタの他方の端部の平らな面と、パイプの先端面が概ね同一面にある状態で固定されたパイプに、継手用アダプタの他方の端部の側（ヘッダー側）から、インコアを挿入することによって、パイプが所望の状態で装着された継手を、ワンタッチで確実に形成することができることが判明した。
【００１２】
更に、上述したように、継手用アダプタの他方の端部の平らな面と、パイプの先端面が概ね同一面にならない場合、または、同一面になった状態でインコアを挿入時に不具合が生じた場合には、パイプをインコア側に更に押し出すことによって解除することができるので、解除機能を容易に持たせることができることが判明した。
【００１８】
この発明の継手の第１の態様は、給水給湯システムの分岐部のヘッダに給水給湯のための接続パイプを接続する継手であって、
内部に貫通孔を有しており、一端が平らな端面部を有する本体部と、該本体部の前記平らな端面部の反対側の端部に接続されるナットと、該ナットにより前記本体部の貫通孔内に配置固定されており、前記接続パイプの前記貫通孔内への前記ナット側からの挿入を可能としつつ、挿入された前記接続パイプの逆方向への移動を阻止する歯部を有する抜け止め部材とを有しており、前記接続パイプを前記本体部の貫通孔に前記ナット側端部から不可逆的に挿入して固定する継手用アダプタと、
内部に貫通孔を有しており、給水給湯システムの前記ヘッダに止水可能に挿入される頭部と、前記継手用アダプタに挿入固定された前記接続パイプに止水可能に挿入される脚部とを備え、前記頭部の外形が前記接続パイプの外形よりも大きく、前記脚部の外形が前記接続パイプの内径と概ね同一で、前記頭部と前記脚部が一体的に形成されたインコアと、
を備え、
前記継手用アダプタの本体部の前記貫通孔に、前記ナット側の端部から前記平らな端面部まで前記接続パイプを挿入し、該平らな端面部の平らな面と前記接続パイプの先端面が概ね同一面となる位置で該接続パイプを固定し、該継手用アダプタに位置決めされて固定されている前記接続パイプの先端部から前記インコアの前記脚部を、前記インコアの頭部の前記脚部側の端面が、前記継手用アダプタの本体部の前記平らな面と密着するまで挿入し、さらに前記インコアの頭部を前記給水給湯システムの前記ヘッダに挿入することにより、前記接続パイプを前記分岐部の前記ヘッダに接続するよう構成したことを特徴とする。 
【００１９】
この発明の継手の第２の態様は、前記ナットが接続される前記本体部の接続部は、外表面に形成されたネジ山を備えており、前記ナットは内表面に前記ネジ山に対応するネジ溝を備えており、前記ナットは前記本体部に対して前記ネジ山と前記ネジ溝が噛み合わされて接続され、前記本体部の前記貫通孔の前記ナットを接続する側には、前記抜け止め部材を収容する円錐台形状の抜け止め部材収容部を有しており、該抜け止め部材収容部は本体部とナットの境界部に向かって内径が拡大し、前記本体部と前記ナットの概ね境界部に前記抜け止め部材が配置されることを特徴とする。
【００２０】
この発明の継手の第３の態様は、前記インコアは、前記頭部に少なくとも１つのＯリングを有しており、該Ｏリングにより前記頭部が前記ヘッダに挿入されたときに漏水を防止する止水機能を備え、前記脚部に少なくとも１つの別のＯリングを有しており、該Ｏリングにより前記脚部が前記接続アダプタに接続された前記接続パイプに挿入されたときに漏水を防止する止水機能を備えていることを特徴とする。
【００２１】
さらに、この発明の継手の第４の態様は、前記継手用アダプタは、前記ナットにより前記抜け止部材を押圧固定する固定リングを備えていることを特徴とする。
【００２２】
この発明の給水給湯システムへの分岐部への接続パイプの接続固定方法の第１の態様は、頭部と脚部を備えており前記脚部から前記頭部へ連通する貫通孔を有するインコアの前記脚部を、継手用アダプタ内に挿入固定された接続パイプ内に挿入し、前記インコアの前記頭部を給水給湯システムの分岐部のヘッダに挿入することにより、前記給水給湯システムの分岐部に前記接続パイプを接続する接続パイプの接続固定方法であって、
前記継手用アダプタは、一端に平らな端面部を有しており該平らな端面部から他端側に連通する貫通孔を有する本体部と、前記本体部の前記他端側に接続されるナットと、前記本体部の貫通孔内に配置されて前記ナットにより押圧固定され、前記接続パイプの前記ナット側から前記貫通孔内への挿入は可能であるが逆方向への進行は阻止する歯部を有する抜け止め部材とを備えており、該継手用アダプタの前記貫通孔に、前記ナット側の端部から前記平らな端面部まで前記接続パイプを不可逆的に挿入し、該平らな端面部と前記接続パイプの先端面が概ね同一面となる位置で該接続パイプを固定し、
その後、前記継ぎ手用アダプタの前記平らな端面部と概ね同一面となるように位置決め固定された前記接続パイプの先端部から、前記インコアの脚部をインコアの頭部の該脚部側の端面と継手用アダプタの前記平らな端面部とが密着するまで止水可能に挿入し、
さらに、前記インコアの頭部を前記給水給湯システムの前記ヘッダに挿入することを特徴とする。
【００２４】
この発明の給水給湯システムへの分岐部への接続パイプの接続固定方法の第２の態様は、前記継手用アダプタの前記ナット側の端部から、前記接続パイプを、その先端面が前記本体側の前記端面部と概ね同一面になるように、不可逆的に挿入して固定する際に、前記接続パイプが前記本体側の前記端面部と同一面となるよりも挿入しすぎた場合には、前記接続パイプを前記ナット側の端部近傍において切断した後、前記切断した接続パイプをさらに推し進めて、前記本体側の平らな端面部から取り出すと共に、後続する接続パイプの接続した先端面を前記本体側の前記端面部と同一面となるように配置固定することを特徴とする。
【発明の効果】
【００２５】
この発明の継手用アダプタによると、逆方向への進行を阻止する歯部を有する抜け止め部材を備えており、ナット側から樹脂製パイプを垂直方向に、先端面が平らな板に接するまで挿入すると、樹脂製パイプの先端面と平らな端面部が概ね同一平面になる状態で、樹脂製パイプが継手アダプタに、ワンタッチで容易に位置決めされ固定される。このように樹脂製パイプが所望の位置に固定されていることを目で容易に確認できる。
【００２６】
この発明のインコアによると、分岐部に用いられるヘッダに、止水可能に挿入される頭部と、継手用アダプタに挿入された樹脂製パイプに、止水可能に挿入される脚部とを備えているので、ワンタッチでアダプタおよび継手用アダプタに止水可能に装着することができる。
【００２７】
この発明の継手によると、樹脂製パイプが継手アダプタに、ワンタッチで容易に位置決めされ固定され、樹脂製パイプが所望の位置に固定されていることを目で容易に確認でき、更に、ワンタッチでインコアを継手アダプタに固定された樹脂製パイプに装着することができ、分岐部に設けられるヘッダにワンタッチで止水機能を備えて装着することができる。
【００２８】
この発明の継手へのパイプの挿入固定方法によると、樹脂製パイプが継手アダプタに、ワンタッチで容易に位置決めされ固定され、樹脂製パイプが所望の位置に固定されていることを目で容易に確認できる。
【００２９】
更にこの発明の継手用アダプタからの樹脂製パイプの解除方法によると、樹脂製パイプを挿入方向に更に押し進めるだけで、樹脂製パイプを継手用アダプタから容易に解除することができる。
【発明を実施するための最良の形態】
【００３０】
本発明の継手、および、継手へのパイプの挿入固定方法の態様について図面を参照しながら詳細に説明する。
【００３１】
この発明の継手用アダプタの１つの態様は、それぞれ中央に対応する貫通孔部を備えた、平らな端面部を有する本体部と、前記本体部に接続されるナットと、前記本体部と前記ナットとの間に配置されて逆方向への進行を阻止する歯部を有する抜け止め部材とを備えた継手用アダプタであって、
前記本体部、抜け止め部材および前記ナットが組み合わされて形成された前記アダプタの前記ナット側の端部から、樹脂製パイプが不可逆的に挿入されて、ワンタッチで、前記本体側の前記端面部と挿入された前記パイプの先端面部とが概ね同一面で固定される継手用アダプタである。
【００３２】
図１は継手用アダプタを説明する図である。図１に示すように、継手用アダプタは、平らな端面部を有する本体部と、本体部に接続されるナットと、本体部とナットとの間に配置されて逆方向への進行を阻止する歯部を有する抜け止め部材と、抜け止め部材を固定する固定リングとを備えている。
【００３３】
図１（ａ）はナットの斜視図（左側の図）および側面図（右側の図）である。図１（ａ）に示すように、ナット１１は、樹脂製パイプが挿入される側の端部１２と、後述する本体部の接続部に対応する接続部１３を備え、内部に固定リングを収容する固定リング収容部２０を備えている。樹脂製パイプが挿入される側の端部１２には樹脂製パイプの断面外形と概ね同じ大きさの孔部が備えられている。ナット１１の接続部１３は内表面に沿って形成されたネジ溝からなっている。
【００３４】
図１（ｂ）は固定リングの斜視図（左側の図）および側面図（右側の図）である。図１（ｂ）に示すように、固定リング１４は、後述する抜け止め部材と接触する後端部１５と、ナットの固定リング収容部に接触する前端部１６とからなっている。何れも、抜け止め部材およびナットの固定リング収容部と組み合わされる形状を有している。例えば、後端部１５は、抜け止め部材に挿入される部分と、抜け止め部材の端面と対応する端面を備えている。前端部はナットの固定リング収容部と対応する傾斜面を有している。
【００３５】
図１（ｃ）は抜け止め部材の斜視図（左側の図）および側面図（右側の図）である。図１（ｃ）に示すように、抜け止め部材１７は、挿入された樹脂パイプが逆方向への進行を阻止する歯部１９を有している。好ましくは、抜け止め部材１７は、挿入された樹脂製パイプが後戻りしないように、金属製の歯部１９を備えている。抜け止め部材１７は、薄板を加工して形成され、後述する本体部の抜け止め部材収容部に収容され、固定されるように垂直面１８と、パイプの進行方向に先細り状に突き出した中空の概ね円錐台形状の歯部１９とを備えている。
【００３６】
図１（ｄ）は、本体部の斜視図（左側の図）および側面図（右側の図）である。図１（ｄ）に示すように、本体部３１は、後述するように挿入されたパイプの先端面と同一面になる平らな端面部３２と、ナット側の端部にナットとの接続部３３をそれぞれ備え、内部に上述した抜け止め部材を収容する抜け止め部材収容部３４を有している。接続部３３は上述したナットの接続部１３の内表面に沿って形成されたネジ溝と対応するネジ山を備えている。抜け止め部材収容部３４は、樹脂パイプが逆方向への進行を阻止する機能を備えて抜け止め部材の歯部が収容されるように、ナット側に向かって末広がりに広がっている。更に、本体部が後述するヘッダとの間を固定するファスナが取り付けられる凹部３５を備えていてもよい。本体部の平らな端面部３２には、概ね樹脂製パイプの断面形状と概ね同じ大きさの孔部が備えられている。なお、接続部はネジ山、ネジ溝に限定されることはなく、密接に接続することができれる部材を適宜使用することができる。
【００３７】
更に、固定リング１４は必ずしも必要でなく、抜け止め部材１７のみを使用してもよい。固定リングに代わって、抜け止め部材を保護するためにリング状の部材を使用してもよい。
【００３８】
図１（ａ）から図１（ｄ）に示したナット、固定リング、抜け止め部材、および、本体部は図に示した順に組み立てられる。抜け止め部材が無い状態では、樹脂製パイプは組み立てられたナット、本体部の孔部を所望の抵抗を伴って前進後退できる。長軸方向に沿った断面においては、固定リング収容部および抜け止め部材収容部は、境界線からそれぞれ先細り状の概ね台形状部分からなっている。
【００３９】
次に、この発明のインコアの１つの態様を説明する。この発明のインコアの１つの態様は、分岐部に用いられるヘッダに、止水可能に挿入される頭部と、継手用アダプタに挿入された樹脂製パイプに、止水可能に挿入される脚部とを備え、頭部および脚部はそれぞれ中央に貫通孔を有し、
頭部の外径が樹脂製パイプの外径よりも大きく、脚部の外径が樹脂製パイプの内径と概ね同一で、頭部と脚部が一体的に形成されたインコアである。
【００４０】
図２は、インコアの１つの態様を示す斜視図である。図２に示すように、インコア４１は、後述する分岐部に用いられるヘッダに、止水可能に挿入される頭部４２と、継手用アダプタに挿入された樹脂製パイプに、止水可能に挿入される脚部４３とを備えている。頭部４２および脚部４３はそれぞれ中央に貫通孔を有している。頭部４２の外径が樹脂製パイプの外径よりも大きく、脚部４３の外径が樹脂製パイプの内径と概ね同一で、頭部４２と脚部４３が一体的に形成されている。更に、頭部４２に少なくとも１つのＯリング４４を有して、上述したヘッダとの間の止水機能を備え、脚部４３に少なくとも１つの別のＯリング４５を有して、樹脂製パイプとの間の止水機能を備えている。
【００４１】
図３は、継手用アダプタに樹脂製パイプが挿入され、本体部３１の平らな端面部３２と樹脂製パイプの先端部が概ね同一面になるように固定された状況を説明する図である。この状態は、組み立てられた継手用アダプタに樹脂製パイプが挿入され、樹脂製パイプの先端面が本体部の平らな端面部が概ね同一面に位置している。
【００４２】
即ち、図１を参照して説明したようにナット１１、本体部３１の間に固定リング、抜け止め部材が配置された状態で組み立てられた継手用アダプタ２を、本体部３１の平らな端面部３２が下になりナットが上になるように平らな板の上に垂直に載置し、ナット側から樹脂製パイプ３を垂直方向に、先端面が平らな板に接するまで挿入すると、樹脂製パイプ３の先端面と平らな端面部３２が概ね同一平面になる状態で、樹脂製パイプ３が継手アダプタ２に、ワンタッチで容易に位置決めされ固定される。このように樹脂製パイプが所望の位置に固定されていることを目で容易に確認できる。
【００４３】
なお、樹脂製パイプ３は、上述したように抜け止め部材によって逆戻りができないように固定されているので、樹脂製パイプ３がナット１１側にずれて移動することは無い。なお、固定リング、抜け止め部材、固定リング収容部、および、抜け止め部材収容部の形状によって、固定された樹脂製パイプが長軸方向に微小移動するように若干の遊びを有していても良い。
【００４４】
次に、この発明の継手について説明する。この発明の継手の１つの態様は、平らな端面部を有する本体部と、本体部に接続されるナットと、本体部とナットとの間に配置されて逆方向への進行を阻止する歯部を有する抜け止め部材と、抜け止め部材を固定する固定リングとを備え、本体部、抜け止め部材、固定リングおよびナットが組み合わされて形成されたナット側の端部から、樹脂製パイプが不可逆的に挿入されて、本体側の端面部とパイプの端面部とが概ね同一面で固定される継手用アダプタと、分岐部に用いられるヘッダに、止水可能に挿入される頭部と、継手用アダプタに挿入され概ね同一面で固定された樹脂製パイプに、止水可能に挿入される脚部とを備え、頭部の外径が樹脂製パイプの外径よりも大きく、脚部の外径が樹脂製パイプの内径と概ね同一で、頭部と脚部が一体的に形成されたインコアとを備えた継手である。
【００４５】
図４は、継手を説明する図である。即ち、継手用アダプタに、逆方向への進行を阻止された状態で固定された樹脂製パイプの中にインコアを挿入した状態をしめしている。図４に示すように、図３を参照して説明したように樹脂製パイプ３が継手アダプタ２に、ワンタッチで容易に位置決めされ固定された状態で、樹脂製パイプ３の先端部からインコア４１の脚部４３を挿入している。継手アダプタ２に位置決め固定された樹脂製パイプ３はナット１１側に移動しないので、インコア４１の脚部４３を樹脂製パイプ３に挿入しても、図３で示した継手用アダプタ２と樹脂製パイプ３の相互の関係が崩れることは無い。従って、インコア４１の頭部４２の脚部４３側の端面が本体部３１の平らな端面部３２と密着して固定される。この状態では、インコア４１の脚部４３の表面に取り付けられＯリング４５が樹脂製パイプ３の内表面との間で、止水機能を果たしているので、パイプ３内を通る水がインコア４１との接続部から漏れることは無い。
【００４６】
後述するようにインコア４１の頭部４２に設けられたＯリング４４が、同様に、ヘッダとの間の止水機能を果たす。
【００４７】
図５は、図４を参照して説明した、樹脂製パイプが所望の位置に固定されたこの発明の継手がヘッダに接続される状況を説明する図である。図５に示すように、図４を参照して説明した、樹脂製パイプが所望の位置に固定されたこの発明の継手１が分岐部に設けられたヘッダ５０に取り付けられている。継手１のインコア４１の頭部４２がヘッダ５０の中に挿入されて、インコア４１の頭部４２に設けられたＯリング４４が、ヘッダ５０との間の止水機能を果たす。
【００４８】
従って、インコアの頭部の形状を対応するヘッダの形状と適合させることによって、本発明の機能を損なうことなく、ワンタッチで容易に取り付けることができる。
【００４９】
図６は解除状態を説明する図である。この発明の継手２では、ナット１１側から樹脂製パイプ３を挿入して樹脂製パイプ３の先端面が本体部３１の平らな端面部３２と概ね同一面になった状態で、インコア４１の脚部４３を挿入した際に、操作ミス等によって、樹脂製パイプ３の先端面が本体部３１の平らな端面部３２よりも突き出た場合には、樹脂製パイプ３を所望の箇所で切断し、インコア４１の脚部４３が挿入された状態で、矢印の方向に樹脂製パイプ３を引き抜くことによって、解除機能が働く。その後は、継手用アダプタ２に樹脂製パイプ３を挿入する、上述したと同じ動作を繰り返せばよい。
【００５０】
次に、この発明の継手へのパイプの挿入固定方法を説明する。この発明の継手へのパイプの挿入固定方法の１つの態様は、図２から図４を参照して説明したように、平らな端面部を有する本体部と、本体部と接続されるナットと、本体部とナットとの間に配置されて逆方向への進行を阻止する歯部を有する抜け止め部材と、抜け止め部材を固定する固定リングとを備えた継手用アダプタのナット側の端部から、樹脂製パイプを、その先端面が本体側の端面部と概ね同一面になるように、不可逆的に挿入し、分岐部に用いられるヘッダに、止水可能に挿入される頭部と、継手用アダプタに挿入された樹脂製パイプに、止水可能に挿入される脚部とを一体的に備えたインコアを、本体側の端面部と概ね同一面で固定されたパイプの端面部から、脚部の全体が前記パイプ内に位置するように挿入する、継手へのパイプの挿入固定方法である。
【００５１】
即ち、図２から図４を参照して説明したように、ワンタッチで継手へのパイプの挿入固定ができる。即ち、抜け止め部材の歯部がアダプタの平らな端面側に突き出て、樹脂製パイプが挿入方向と逆方向へ進行するのを阻止し、本体側の端部と概ね同一面になるように挿入され、固定された樹脂製パイプの先端面が視認できる。この状態が確認できた後、樹脂製パイプの先端からインコアの脚部が挿入される。
【００５２】
上述したように、この発明によると、ワンタッチで樹脂製パイプを挿入し、挿入確認が目視で容易に且つ確実に行え、装着状態が良くない場合にも容易に解除機能を備えている継手および継手へのパイプの挿入固定方法を提供することができる。
【図面の簡単な説明】
【００５３】
【図１】図１は継手用アダプタを説明する図である。図１（ａ）はナットの斜視図（左側の図）および側面図（右側の図）である。図１（ｂ）は固定リングの斜視図（左側の図）および側面図（右側の図）である。図１（ｃ）は抜け止め部材の斜視図（左側の図）および側面図（右側の図）である。図１（ｄ）は、本体部の斜視図（左側の図）および側面図（右側の図）である。
【図２】図２は、インコアの１つの態様を示す斜視図である。
【図３】図３は、継手用アダプタに樹脂製パイプが挿入され、本体部３１の平らな端面部３２と樹脂製パイプの先端部が概ね同一面になるように固定された状況を説明する図である。
【図４】図４は、継手を説明する図である。
【図５】図５は、図４を参照して説明した、樹脂製パイプが所望の位置に固定されたこの発明の継手がヘッダに接続される状況を説明する図である。
【図６】図６は解除状態を説明する図である。
【図７】図７は、従来の継手を説明する一部切り欠き部を備えた側面図である。
【図８】図８は、継手の状態を示す側面図である。
【符号の説明】
【００５４】
１  継手
２  継手用アダプタ
３  樹脂製パイプ
１１  ナット
１２  樹脂製パイプが挿入される側の端部
１３  接続部
１４  固定リング
１５  後端部
１６  前端部
１７  抜け止め部材
１８  垂直面
１９  歯部
３１  本体部
３２  平らな端面部
３３  接続部
３４  抜け止め部材収容部
３５  凹部
４１  インコア
４２  頭部
４３  脚部
４４、４５  Ｏリング４４
５０  ヘッダ
【図１】
0004897965.tif 000002
【図２】
0004897965.tif 000003
【図３】
0004897965.tif 000004
【図４】
0004897965.tif 000005
【図５】
0004897965.tif 000006
【図６】
0004897965.tif 000007
【図７】
0004897965.tif 000008
【図８】
0004897965.tif 000009